(57)【要約】【課題】無指向性を持った良好な点音源が得られる電気音響変換器を提供する。【解決手段】正五角形の振動板セグメント１２を複数個接合した振動板１１を含んで略球殻状に多面状振動板組立体１１Ａを形成し、この多面状振動板組立体１１Ａの内面側に各振動板セグメント１２と対向して各スピーカ駆動ユニット２０Ａを複数配置すると共に、各スピーカ駆動ユニット２ＯＤの各ボビン２４の一端部２４ａを各振動板セグメント１２の内面の中心部位に接着して電気音響変換器１０Ｄを構成した際に、振動板セグメント１２と対向する面を多角形面５２ａとした多角錐５２又は多角錐台５２Ａよりなるスピーカ取付台を複数含んで略球状に結合され、それぞれの多角形面５２ａにスピーカ駆動ユニット２０Ｄが取り付けられて、多面状振動板組立体１１Ａ内に収納された多面状取付台組立体５１を備えたことを特徴とする電気音響変換器１０Ｄを提供する。【選択図】図３
2006333441.tif 000002
【特許請求の範囲】
【請求項１】
電気音響変換器において、
多角形の振動板セグメントを複数個接合した振動板を含んで略球殻状に形成された多面状振動板組立体と、
スピーカハウジングと、前記スピーカハウジングに揺動自在に支持されて一端部が前記振動板セグメントの内面の中心部位に接着されたボビンと、前記ボビンの他端部に取り付けられたボイスコイルと、前記ボイスコイルに駆動力を発生させるヨーク及びマグネットとを少なくとも有し、前記多面状振動板組立体の内面側に前記振動板セグメントとそれぞれ対向して配置された複数のスピーカ駆動ユニットと、
前記振動板セグメントと対向する面を多角形面とした多角錐又は多角錐台よりなるスピーカ取付台を複数含んで略球状に結合され、それぞれの前記多角形面に前記スピーカ駆動ユニットが取り付けられて、前記多面状振動板組立体内に収納された多面状取付台組立体と、を備えたことを特徴とする電気音響変換器。
【請求項２】
前記多面状取付台組立体は、各前記スピーカ取付台の外周側面同士が凹凸嵌合により結合されていることを特徴とする請求項１記載の電気音響変換器。
【請求項３】
前記多面状振動板組立体の一部に前記振動板セグメントと同じ外形を有する少なくとも一つの台座を含むことにより、前記多面状振動板組立体が略球殻状に形成されていることを特徴とする請求項１又は請求項２記載の電気音響変換器。
【請求項４】
前記多面状取付台組立体は、前記スピーカ取付台と略同じ形状を有する少なくとも一つの支持台を含んで略球状に結合され、且つ、前記支持台は前記台座と対向しており、
各前記スピーカ駆動ユニットの配線を通すためのパイプ部材を少なくとも一つ備え、
前記パイプ部材は一端部が前記支持台に固着され、且つ、前記台座に形成した貫通孔を通されて前記台座に接着されていることを特徴とする請求項３記載の電気音響変換器。
【請求項５】
前記多面状振動板組立体は、前記振動板のみで略球殻状に形成され、且つ、前記振動板中で少なくとも一つの前記振動板セグメントの中心部位にパイプ挿入孔を有してなり、
各前記スピーカ駆動ユニットの配線を通すためのパイプ部材を少なくとも一つ備え、
前記パイプ部材は前記パイプ挿入孔内に挿通されて一端部が前記スピーカ駆動ユニットに支持されていることを特徴とする請求項１又は請求項２記載の電気音響変換器。
【請求項６】
前記多面状振動板組立体は、前記振動板のみで略球殻状に形成され、且つ、前記振動板中で少なくとも一つの前記振動板セグメントの中心部位にパイプ挿入孔を有してなり、
各前記スピーカ駆動ユニットの配線を通すためのパイプ部材を少なくとも一つ備え、
前記パイプ部材は前記パイプ挿入孔内に挿通されて一端部が前記スピーカ駆動ユニットの中心部位を挿通して該スピーカ駆動ユニットを取り付けた前記スピーカ取付台に支持されていることを特徴とする請求項１又は請求項２記載の電気音響変換器。
【請求項７】
前記多面状振動板組立体を構成する各前記振動板セグメントの内面側の各辺の接合部位と、前記多面状取付台組立体を構成する各前記スピーカ取付台とを連結する複数の振動板連結部材を備えたことを特徴とする請求項１ないし請求項６のうちいずれか１項記載の電気音響変換器。
【請求項８】
前記振動板連結部材は、前記振動板セグメントの可撓性よりも大なる可撓性を有することを特徴とする請求項７記載の電気音響変換器。
【発明の詳細な説明】
【技術分野】
【０００１】
本発明は、多角形の振動板セグメントを複数個接合した振動板を含んで略球殻状に形成された多面状振動板組立体と、この多面状振動板組立体の内面側に各振動板セグメントと対向して配置された複数のスピーカ駆動ユニットと、を備えた電気音響変換器に関するものである。
【背景技術】
【０００２】
音声信号を拡声するための電気音響変換器（スピーカ）は、各種の構造形態があるものの、この種の電気音響変換器の一例として呼吸球に近い状態で振動する再生音を人の聴覚に与える点音源・無指向性・スピーカシステムがある（例えば、特許文献１参照）。
【０００３】
尚、上記した呼吸球とは、無指向性スピーカの理想とされる発音体であり、例えば、風船がふくらんだり、しぼんだりして振動する運動と同じく、あらゆる方向に略同じ音圧を発生して完全無指向性が得られるもので、あたかも球が呼吸しているのに似ていることから呼吸球と名づけられたものである。
【特許文献１】特開平９−７００９２号公報。
【０００４】
図２８は従来の点音源・無指向性・スピーカシステムの一例を示した斜視図、
図２９は従来の点音源・無指向性・スピーカシステムの一例を示したブロック図、
図３０は従来の点音源・無指向性・スピーカシステムに使用したスピーカユニットにおける周波数レスポンスのピークとディップの例を摸式的に示した特性図である。
【０００５】
図２８及び図２９に示した従来の点音源・無指向性・スピーカシステム１００は、上記した特許文献１（特開平９−７００９２号公報）に開示されているものであり、ここでは特許文献１を参照して簡略に説明する。
【０００６】
図２８に示した如く、従来の点音源・無指向性・スピーカシステム１００では、剛性を持った中空球面状のエンクロージャ１０１が、その外周面上に五角形で形成される１２個の第１面１０１ａと、六角形で形成される２０個の第２面１０１ｂとで合計３２面からなる多面体に形成されている。尚、上記したエンクロージャ１０１は、スピーカキャビネット、或いは、スピーカボックスに相当するものである。
【０００７】
この際、エンクロージャ１０１の各第１面１０１ａ及び各第２面１０１ｂにフルレンジのスピーカユニット１０２をそれぞれ取り付けている例が図２８に示した如く開示されている。
【０００８】
また、上記の例とは異なって、図２９に示したように、エンクロージャ１０１の各第１面１０１ａに低音域用のスピーカユニット１０３をそれぞれ取り付け、且つ、各第２面１０１ｂに高音域用のスピーカユニット１０４をそれぞれ取り付ける例も開示されている。
【０００９】
更に、図２９中において、１１０はデジタル入力信号、１１１はデジタル・シグナル・プロセッサ（ＤＳＰ）、１１２はＤＳＰ１１１に付設した操作パネル、１１３はＤ／Ａコンバータ、１１４はアナログ・アッテネータ、１１５はパワーアンプであり、デジタル入力信号１１０はＤＳＰ１１１，Ｄ／Ａコンバータ１１３，アナログ・アッテネータ１１４，パワーアンプ１１５を順に通って各スピーカユニット１０２又は各スピーカユニット１０３，１０４に供給されている。
【００１０】
ここで、エンクロージャ１０１の３２面からなる多面体に、フルレンジのスピーカユニット１０２、又は、低音域用のスピーカユニット１０３及び高音域用のスピーカユニット１０４をそれぞれ配置したスピーカ体は、これをそのまま駆動した場合に、図３０に摸式的に示したように、周波数レスポンスにピークＰとディップＤが生じるために、前記の各スピーカユニット１０２又は各スピーカユニット１０３，１０４の駆動信号に対して図２９中に示したＤＳＰ１１１によりディップＤへの逆特性のフィルタリングを行い、この後、Ｄ／Ａコンバータ１１３によりデシタル信号をアナログ信号に変換して、アナログ・アッテネータ１１４，パワーアンプ１１５を順に介して各スピーカユニット１０２又は各スピーカユニット１０３，１０４に供給されている旨が開示されている。
【発明の開示】
【発明が解決しようとする課題】
【００１１】
ところで、上記した従来の点音源・無指向性・スピーカシステム１００では、前述したように、エンクロージャ１０１の３２面からなる多面体に、フルレンジのスピーカユニット１０２、又は、低音域用のスピーカユニット１０３及び高音域用のスピーカユニット１０４をそれぞれ配置しているものの、前記の各スピーカユニット１０２又は各スピーカユニット１０３，１０４に一体的に取り付けられた各自固有の振動板（図示せず）をそれぞれ振動させて各再生音を得ていることは明らかである。
【００１２】
この場合に、隣り合うスピーカユニット間には振動板が介在せずに、剛性を持ったエンクロージャ１０１の一部が介在しているために、前記の各スピーカユニット１０２又は各スピーカユニット１０３，１０４からの各再生音を合成した合成再生音は良好な点音源として得られない場合が起こり得る。
【００１３】
また、図３０を用いて前述したように、前記の各スピーカユニット１０２又は各スピーカユニット１０３，１０４により得られる各再生音の周波数レスポンスにおいて生じるディップＤに対してＤＳＰ１１１により逆補正しているものの、このディップＤそのものの発生をスピーカユニットの構造形態により極力低減できれば、ＤＳＰ１１１による逆補正も低減できることは明らかである。
【００１４】
そこで、呼吸球として無指向性を持った良好な点音源が得られ、且つ、複数のスピーカにより得られる各再生音の周波数レスポンスにおいて生じるディップも低減でき、且つ、多角形の振動板セグメントを複数個接合した振動板を含んで略球殻状に多面状振動板組立体を形成して、この多面状振動板組立体の内面側に各振動板セグメントと対向してスピーカ駆動ユニットを複数配置する際に、複数のスピーカ駆動ユニットを各振動板セグメントと対向して生産性良く３次元的に放射状に組み立てることができる構造形態を備えた電気音響変換器が望まれている。
【課題を解決するための手段】
【００１５】
本発明は上記課題に鑑みてなされたものであり、請求項１記載の発明は、電気音響変換器において、
多角形の振動板セグメントを複数個接合した振動板を含んで略球殻状に形成された多面状振動板組立体と、
スピーカハウジングと、前記スピーカハウジングに揺動自在に支持されて一端部が前記振動板セグメントの内面の中心部位に接着されたボビンと、前記ボビンの他端部に取り付けられたボイスコイルと、前記ボイスコイルに駆動力を発生させるヨーク及びマグネットとを少なくとも有し、前記多面状振動板組立体の内面側に前記振動板セグメントとそれぞれ対向して配置された複数のスピーカ駆動ユニットと、
前記振動板セグメントと対向する面を多角形面とした多角錐又は多角錐台よりなるスピーカ取付台を複数含んで略球状に結合され、それぞれの前記多角形面に前記スピーカ駆動ユニットが取り付けられて、前記多面状振動板組立体内に収納された多面状取付台組立体と、を備えたことを特徴とする電気音響変換器である。
【００１６】
また、請求項２記載の発明は、請求項１記載の電気音響変換器において、
前記多面状取付台組立体は、各前記スピーカ取付台の外周側面同士が凹凸嵌合により結合されていることを特徴とする電気音響変換器である。
【００１７】
また、請求項３記載の発明は、請求項１又は請求項２記載の電気音響変換器において、
前記多面状振動板組立体の一部に前記振動板セグメントと同じ外形を有する少なくとも一つの台座を含むことにより、前記多面状振動板組立体が略球殻状に形成されていることを特徴とする電気音響変換器である。
【００１８】
また、請求項４記載の発明は、請求項３記載の電気音響変換器において、
前記多面状取付台組立体は、前記スピーカ取付台と略同じ形状を有する少なくとも一つの支持台を含んで略球状に結合され、且つ、前記支持台は前記台座と対向しており、
各前記スピーカ駆動ユニットの配線を通すためのパイプ部材を少なくとも一つ備え、
前記パイプ部材は一端部が前記支持台に固着され、且つ、前記台座に形成した貫通孔を通されて前記台座に接着されていることを特徴とする電気音響変換器である。
【００１９】
また、請求項５記載の発明は、請求項１又は請求項２記載の電気音響変換器において、
前記多面状振動板組立体は、前記振動板のみで略球殻状に形成され、且つ、前記振動板中で少なくとも一つの前記振動板セグメントの中心部位にパイプ挿入孔を有してなり、
各前記スピーカ駆動ユニットの配線を通すためのパイプ部材を少なくとも一つ備え、
前記パイプ部材は前記パイプ挿入孔内に挿通されて一端部が前記スピーカ駆動ユニットに支持されていることを特徴とする電気音響変換器である。
【００２０】
また、請求項６記載の発明は、請求項１又は請求項２記載の電気音響変換器において、
前記多面状振動板組立体は、前記振動板のみで略球殻状に形成され、且つ、前記振動板中で少なくとも一つの前記振動板セグメントの中心部位にパイプ挿入孔を有してなり、
各前記スピーカ駆動ユニットの配線を通すためのパイプ部材を少なくとも一つ備え、
前記パイプ部材は前記パイプ挿入孔内に挿通されて一端部が前記スピーカ駆動ユニットの中心部位を挿通して該スピーカ駆動ユニットを取り付けた前記スピーカ取付台に支持されていることを特徴とする電気音響変換器である。
【００２１】
また、請求項７記載の発明は、請求項１ないし請求項６のうちいずれか１項記載の電気音響変換器において、
前記多面状振動板組立体を構成する各前記振動板セグメントの内面側の各辺の接合部位と、前記多面状取付台組立体を構成する各前記スピーカ取付台とを連結する複数の振動板連結部材を備えたことを特徴とする電気音響変換器である。
【００２２】
更に、請求項８記載の発明は、請求項７記載の電気音響変換器において、
前記振動板連結部材は、前記振動板セグメントの可撓性よりも大なる可撓性を有することを特徴とする電気音響変換器である。
【発明の効果】
【００２３】
請求項１記載の電気音響変換器によれば、多角形の振動板セグメントを複数個結合した振動板を含んで略球殻状に多面状振動板組立体を形成し、この多面状振動板組立体の内面側に各振動板セグメントと対向して各スピーカ駆動ユニットを複数配置すると共に、各スピーカ駆動ユニットの各ボビンの一端部を各振動板セグメントの内面の中心部位に接着して電気音響変換器を構成した際に、振動板セグメントと対向する面を多角形面とした多角錐又は多角錐台よりなるスピーカ取付台を複数含んで略球状に結合され、それぞれの多角形面にスピーカ駆動ユニットが取り付けられて、多面状振動板組立体内に収納された多面状取付台組立体を備えているので、多角形の振動板セグメントを複数個接合した振動板により呼吸球として無指向性を持った良好な点音源が得られ、且つ、各振動板セグメントの振動により得られる各再生音の周波数レスポンスにおいて生じるディップも低減できる。更に、電気音響変換器を量産するにあたって、一つのスピーカ駆動ユニットを一つのスピーカ取付台（多角錐又は多角錐台）の上面の中心部位に取り付けた状態で多数個用意しておき、スピーカ駆動ユニットを取り付けたスピーカ取付台を複数結合して多面状取付台組立体を組み立てることにより、電気音響変換器の生産性向上に寄与できる。
【００２４】
また、請求項２記載の電気音響変換器によれば、多面状取付台組立体は、各スピーカ取付台の外周側面同士が凹凸嵌合により結合されているので、多面状取付台組立体を位置精度良く組み立てることができる。
【００２５】
また、請求項３記載の電気音響変換器によれば、多面状振動板組立体の一部に振動板セグメントと同じ外形を有する少なくとも一つの台座を含むことにより、多面状振動板組立体が略球殻状に形成されているので、少なくとも一つの台座により多角形の振動板セグメントを複数個接合した振動板を支持でき、また、少なくとも一の台座は電気音響変換器の底面用として機能させることができ、更に、複数の電気音響変換器を連結する際にも必要となるものである。
【００２６】
また、請求項４記載の電気音響変換器によれば、多面状取付台組立体は、スピーカ取付台と略同じ形状を有する少なくとも一つの支持台を含んで略球状に結合され、且つ、支持台は台座と対向しており、各スピーカ駆動ユニットの配線を通すためのパイプ部材を少なくとも一つ備え、パイプ部材は一端部が支持台に固着され、且つ、台座に形成した貫通孔を通されて台座に接着されているので、少なくとも一つの台座により多角形の振動板セグメントを複数個接合した振動板を支持でき、また、パイプ部材によって各スピーカ駆動ユニット内に設けた各ボイスコイルの引き出し線を外部に引き出すことができ、且つ、少なくとも一つの電気音響変換器を支持することができ、更に、複数の電気音響変換器を連結することもできる。
【００２７】
また、請求項５記載の電気音響変換器によれば、多面状振動板組立体は、振動板のみで略球殻状に形成され、且つ、振動板中で少なくとも一つの振動板セグメントの中心部位にパイプ挿入孔を有してなり、各スピーカ駆動ユニットの配線を通すためのパイプ部材を少なくとも一つ備え、パイプ部材はパイプ挿入孔内に挿通されて一端部がスピーカ駆動ユニットに支持されているので、多面状振動板組立体中の全ての面に設けた各振動板セグメントが振動可能となり、全ての振動板セグメントを接続した振動板の振動特性を更に向上させることができると共に、パイプ部材によって各スピーカ駆動ユニット内に設けた各ボイスコイルの引き出し線を外部に引き出すことができ、且つ、少なくとも一つの電気音響変換器を支持することができ、更に、複数の電気音響変換器を連結することもできる。
【００２８】
また、請求項６記載の電気音響変換器によれば、多面状振動板組立体は、振動板のみで略球殻状に形成され、且つ、振動板中で少なくとも一つの振動板セグメントの中心部位にパイプ挿入孔を有してなり、各スピーカ駆動ユニットの配線を通すためのパイプ部材を少なくとも一つ備え、パイプ部材はパイプ挿入孔内に挿通されて一端部がスピーカ駆動ユニットの中心部位を挿通してスピーカ駆動ユニットを取り付けたスピーカ取付台に支持されているので、多面状振動板組立体中の全ての面に設けた各振動板セグメントが振動可能となり、全ての振動板セグメントを接続した振動板の振動特性を更に向上させることができると共に、パイプ部材によって各スピーカ駆動ユニット内に設けた各ボイスコイルの引き出し線を外部に引き出すことができ、且つ、少なくとも一つの電気音響変換器を支持することができ、更に、複数の電気音響変換器を連結することもできる。
【００２９】
また、請求項７記載の電気音響変換器によれば、多面状振動板組立体を構成する各振動板セグメントの内面側の各辺の接合部位と、多面状取付台組立体を構成する各スピーカ取付台とを連結する複数の振動板連結部材を備えているので、多面状振動板組立体が比較的大きい場合とか、多面状振動板組立体中の各エッジ部材が柔らかい部材で形成されている場合でも、多面状振動板組立体中の各振動板セグメント自体の自重による変形が生じないので良好な音響特性が得られる。
【００３０】
更に、請求項８記載の電気音響変換器によれば、振動板セグメントの可撓性よりも大なる可撓性を有しているので、振動板セグメントの振動に影響なく、振動板セグメントを支持することができる。
【発明を実施するための最良の形態】
【００３１】
以下に本発明に係る電気音響変換器の一実施例について図１〜図２７を参照して実施例１〜実施例６の順に詳細に説明する。
【００３２】
本発明に係る電気音響変換器では、多角形の振動板セグメントを複数個接合した振動板を含んで略球殻状に多面状振動板組立体を形成し、この多面状振動板組立体の内面側に各振動板セグメントと対向して複数のスピーカ駆動ユニットットを３次元的に放射状に配置したものである。
【００３３】
尚、以下の実施例１，２，４，５では、多角形の振動板セグメントとして例えば正五角形に形成した一例を示し、この正五角形の振動板セグメントを複数個接合した振動板を含んで略球殻状に多面状振動板組立体を形成する時に、振動板は正五角形の振動板セグメントを例えば１１面有して形成される場合について説明するが、多角形の振動板セグメントの角数は上記した五角形に限られるものでもなく、適宜な角数の振動板セグメントにより適宜な面数による振動板を得ることも可能である。
【００３４】
また、以下の実施例３，６では、多角形の振動板セグメントとして例えば正五角形に形成した一例を示し、この正五角形の振動板セグメントを複数個接合した振動板を含んで略球殻状に多面状振動板組立体を形成する時に、振動板は正五角形の振動板セグメントを例えば１２面からなる全ての面に形成される場合について説明するが、この場合でも、多角形の振動板セグメントの角数は上記した五角形に限られるものでもなく、適宜な角数の振動板セグメントにより多面状の全ての面に振動板セグメントを有する振動板を得ることも可能である。
【実施例１】
【００３５】
図１は本発明に係る実施例１の電気音響変換器の外観形状を正面側から見た斜視図、
図２は本発明に係る実施例１の電気音響変換器の外観形状を底面側から見た斜視図、
図３は本発明に係る実施例１の電気音響変換器の概略構成を摸式的に示した斜視図である。
【００３６】
図１及び図２に示した如く、本発明に係る実施例１の電気音響変換器１０Ａは、樹脂シート材などを用いて多角形に形成した振動板セグメント１２を複数個接合した振動板１１を含んで略球殻状に形成した多面状振動板組立体１１Ａと、この多面状振動板組立体１１Ａの内面側に各振動板セグメント１２と対向して３次元的に放射状に配置した複数のスピーカ駆動ユニットット２０Ａ（図３）とから構成されて、呼吸球に近い無指向性の点音源が得られるようになっている。
【００３７】
この際、後述するように、上記した振動板１１を作成する際に、多角形の振動板セグメント１２を複数個に亘って平面的に展開し、この後、複数個の振動板セグメント１２を略球殻状に形成する方法を採用したものであり、複数個の振動板セグメント１２と対向して配置される複数のスピーカ駆動ユニット２０Ａ（図３）は振動板なしの状態でユニット化されているものである。
【００３８】
即ち、この実施例１では、樹脂シート材などを用いて例えば正五角形に形成した振動板セグメント１２を１１個接合した振動板１１と、この振動板１１の底面と対応する部位に振動板セグメント１２と同じ外形を有して剛性を持って形成した正五角形の台座１３とを、隣り合う振動板セグメント１２間にそれぞれ形成した複数のエッジ部１２ｆ及び下記する複数のエッジ部材１４を介して略球殻状に結合して合計１２面からなる多面状振動板組立体１１Ａを得ている。
【００３９】
この際、隣り合う正五角形の振動板セグメント１２同士を結合すると共に、底面となる正五角形の台座１３を隣り合う正五角形の振動板セグメント１２に結合する時には、結合が必要な正五角形の各辺にゴム材などを用いた可撓性を有するエッジ部材１４を取り付けて結合している。
【００４０】
また、図２に示したように、正五角形の台座１３の中心部位には貫通孔１３ａが形成されて、この貫通孔１３ａ内に配線用兼支持用のパイプ部材１５が進入しており、このパイプ部材１５の一端部に形成したネジ部（図示せず）は、後述する多面状スピーカハウジング組立体２６中でスピーカハウジング２７と略同じ外形を有して底面となる一つの支持板（以下、五角形板と記す）２８｛図７（ｂ）｝に形成したネジ孔（図示せず）に螺合して固着されているので、多面状スピーカハウジング組立体２６に取り付けられた１１個のスピーカ駆動ユニット２０Ａの配線用ワイヤがパイプ部材１５内に挿通されて外部に引き出し可能になっている。
【００４１】
この際、台座１３の貫通孔１３ａとパイプ部材１５の外周面との間に接着剤を充填することで、正五角形の台座１３がパイプ部材１５に支持されると共に、合計１２面からなる多面状振動板組立体１１Ａ中で１１面からなる振動板１１は正五角形の台座１３の各辺に各エッジ部材１４を介して支持されることになる。
【００４２】
また、図３に示した如く、略球殻状に形成された多面状振動板組立体１１Ａの内部には、１１個設けられた振動板セグメント１２の各内面側と対向してスピーカ駆動ユニット２０Ａが３次元的に放射状に１１個配置されている。
【００４３】
そして、１１個のスピーカ駆動ユニット２０Ａの各構成部材は、後述するように正五角形の振動板セグメント１２と同じ角数に設定され且つ略正五角形に形成された１１個のスピーカハウジング２７内にそれぞれ取り付けられた後に、１１個のスピーカハウジング２７と、スピーカハウジング２７と略同じ外形を有し且つ多面状振動板組立体１１Ａ中の台座１３と対向して底面用として設けられた一つの五角形板２８｛図７（ｂ）｝とを略球殻状に結合して、多面状振動板組立体１１Ａと略相似で且つ多面状振動板組立体１１Ａよりも小型で１２面を有する多面状スピーカハウジング組立体２６が組み立てられている。
【００４４】
これにより、１１個の振動板セグメント１２と台座１３とによる１２面の多面状振動板組立体１１Ａの内面側に、各スピーカ駆動ユニット２０Ａを取り付けた１１個のスピーカハウジング２７と一つの五角形板２８｛図７（ｂ）｝とによる合計１２面の多面状スピーカハウジング組立体２６が収納されることになる。
【００４５】
ここで、本発明に係る実施例１の電気音響変換器１０Ａの構造について図４〜図８を用いて詳述する。
【００４６】
図４は本発明に係る実施例１の電気音響変換器において、１１個の正五角形の振動板セグメントを接続した振動板を平面的に展開して示した平面図、
図５は図４に示した正五角形の振動板セグメントを拡大して示した斜視図、
図６は本発明に係る実施例１の電気音響変換器において、隣り合うスピーカ駆動ユニットを組み立てた状態を拡大して示した縦断面図、
図７（ａ）は図６に示したスピーカハウジングを拡大して示した斜視図であり、（ｂ）は複数のスピーカハウジングと底面用の一つの五角形板とを組み立てた多面状スピーカハウジング組立体を示した斜視図、
図８は本発明に係る実施例１の電気音響変換器において、隣り合うスピーカ駆動ユニットを組み立てる状態を示した斜視図である。
【００４７】
まず、図４に示した如く、本発明に係る実施例１の電気音響変換器１０Ａに用いられる振動板１１は、樹脂シート材などを用いて例えば正五角形に形成した振動板セグメント１２が１１個に亘って平面的に展開した状態で予め形成されている。ここでは、振動板１１に用いられる樹脂シート材の一例として、振動特性が良好な発泡ポリプロピレンシート材が適用されている。
【００４８】
また、振動板１１中で図示中央部に位置する正五角形の振動板セグメント１２を天面用として用いた時に、この天面用の振動板セグメント１２の各辺（５辺）に上側面用の振動板セグメント１２がそれぞれ連接して合計５個形成され、且つ、合計５個の上側面用の振動板セグメント１２に下側面用の振動板セグメント１２がそれぞれ連接して合計５個形成されている。この際、振動板セグメント１２同士が接続している部位はエッジ部１２ｆが予め形成されているものの、振動板セグメント１２同士が切り離されている部位は、隣り合う振動板セグメント１２のうちで互いに対向する辺同士にエッジ部材１４（図１，図２）が接着剤を用いて接着されることで略球殻状に結合されている。
【００４９】
ここで、振動板１１（図１〜図４）の一部を構成する正五角形の振動板セグメント１２を図５に拡大して示すと、正五角形の振動板セグメント１２はこの中心軸Ｏを中心にして凹球面状の凹球面部１２ａが上方に向かって僅かな高さで突出形成され、この凹球面部１２ａを囲むように凸状リング部１２ｂが同心でリング状に突出形成されており、この凸状リング部１２ｂの内周面に沿って後述するスピーカ駆動ユニット２０Ａのボビン２４（図６）の一端部が接着されるようになっているので、正五角形の振動板セグメント１２の中心軸Ｏはスピーカ駆動ユニット２０Ａのボビン２４の中心軸と同心である。
【００５０】
尚、実施例１では、正五角形の振動板セグメント１２の中心部位に凹球面部１２ａが形成されているが、この凹球面部１２ａに代えて平坦な円形面部又は僅かに凸状に突出した凸球面部であっても良い。
【００５１】
更に、振動板セグメント１２の凸状リング部１２ｂの外周に連接して傾斜面部１２ｃが振動板セグメント１２の中心軸Ｏに対して偏心量Ｈだけ偏って偏心軸ＯＨを中心になだらかな傾斜で外周側の平坦面部１２ｅに向かって錐状に形成されている。そして、振動板セグメント１２の傾斜面部１２ｃと平坦面部１２ｅとが交わる境界部位に上記した偏心軸ＯＨを中心にして凸状リング部１２ｂに対して偏心量Ｈだけ偏った大径円１２ｄの軌跡が得られている。これを言い換えると、振動板セグメント１２上で偏心した大径円１２ｄの外周から振動板セグメント１２の中心部位に設けた凸状リング部１２ｂに向かって傾斜面部１２ｃが形成されていることになる。
【００５２】
ここで、振動板セグメント１２の傾斜面部１２ｃの傾斜形状を分かりやすく図示するために仮想線で図示しており、図示右側の仮想線の長さは短く傾斜が急であるが、図示左側の仮想線の長さは長く傾斜がゆるくなっている。尚、傾斜部１２の外周側の大径円１２ｄは真円に限定されず、楕円であっても良い。
【００５３】
この際、振動板セグメント１２上での偏心量Ｈと大径円１２ｄの径は正五角形の振動板セグメント１２の外形サイズに応じて決めれば良いものであり、後述するように偏心量Ｈが大きくなれば音響特性が良好に得られる。
【００５４】
また、正五角形に形成された振動板セグメント１２上で得られる傾斜面部１２ｃ及び大径円１２ｄの偏心方向は、振動板セグメント１２が１個だけの場合について言えば、正五角形の一つの頂角側に偏心させれば音響特性が良好となる。
【００５５】
更に、正五角形に形成された振動板セグメント１２上で得られる傾斜面部１２ｃ及び大径円１２ｄの偏心方向は、振動板セグメント１２を略球殻状に１１個結合した場合について言えば、先に図４で示した天面用の振動板セグメント１２に対しては適宜な方向でかまわないものの、５個の上側面用の振動板セグメント１２に対しては５個の下側面用の振動板セグメント１２に向かう方向に偏心させる一方、５個の下側面用の振動板セグメント１２に対しては５個の上側面用の振動板セグメント１２に向かう方向に偏心させることで、上側面用の振動板セグメント１２の傾斜面部１２ｃ及び大径円１２ｄと下側面用の振動板セグメント１２の傾斜面部１２ｃ及び大径円１２ｄとが上下対称に偏心されているために、各振動板セグメント１２により得られる各再生音の周波数レスポンスにおいて生じるディップＤ（図１１）の発生が減少され、より良好な音響特性が得られる。
【００５６】
次に、図６に拡大して示した如く、振動板セグメント１２と対向してこの振動板セグメント１２を振動させるためのスピーカ駆動ユニット２０Ａは、振動板セグメント１２の中心軸Ｏを中心にして下記する各構成部材が同心的に組み立てられている。この際、振動板セグメント１２は、スピーカ駆動ユニット２０Ａを組み立てた後に振動板セグメント１２の凸状リング部１２ｂの内周面に沿って下記するボビン２４の一端部２４ａが接着されるので、前述したように実施例１で用いられるスピーカ駆動ユニット２０Ａは振動板なしの状態でユニット化されたものである。
【００５７】
上記したスピーカ駆動ユニット２０Ａは、後述するように、このスピーカ駆動ユニット２０Ａの基台となる一つのスピーカハウジング２７が互いに隣り合うスピーカハウジング２７同士に対して接合可能になっている。
【００５８】
ここで、スピーカ駆動ユニット２０Ａの各構成部材について順に説明すると、ヨーク２１は、軟磁性材を用いて内部を円形凹状に肉抜きした円形凹部２１ａと、この円形凹部２１ａの外壁となるリング状外壁部２１ｂとが同心的に形成されている。
【００５９】
また、円筒状のマグネット２２は、ヨーク２１の円形凹部２１ａ内で振動板セグメント１２の中心軸Ｏを中心にして接着剤などを用いて同心的に固着され、且つ、この円形凹部２１ａ内でマグネット２２の外周面２２ａとの間にリング状隙間Ｓを持って配置されている。
【００６０】
また、円筒状のポールピース２３は、円筒状のマグネット２２上に振動板セグメント１２の中心軸Ｏを中心にして接着剤などを用いて同心的に固着され、且つ、マグネット２２の外周面２２ａの径と略同径の外周面２３ａが形成されている。
【００６１】
また、ボビン２４は、非磁性の樹脂材を用いて長尺な管状に形成され、且つ、スピーカ駆動ユニット２０Ａを組み立てた後に一端部２４ａが振動板セグメント１２の中心軸Ｏを中心にして形成した凸状リング部１２ｂの内周面に沿って接着剤を用いて接着されると共に、他端部２４ｂ側の内周面２４ｃがポールピース２３の外周面２３ａに対してごく僅かな隙間を隔てて対向するように配設されている。
【００６２】
また、リング状のボイスコイル２５は、ボビン２４の他端部２４ｂ側の外周面２４ｄに接着剤を用いて固着されており、このボイスコイル２５を固着したボビン２４の他端部２４ｂ側がヨーク２１の円形凹部２１ａ内でこのヨーク２１のリング状外壁部２１ｂとポールピース２３の外周面２３ａとの間に形成されたリング状隙間Ｓ内に挿入されている。
【００６３】
また、スピーカハウジング２７は、非磁性の樹脂材を用いて５個の外周側面２７ａの内側上方に略正五角形の上面２７ｂが形成されていると共に、振動板セグメント１２の中心軸Ｏを中心にして内部下方部位に肉抜きして形成した下方円形凹部２７ｃ内にヨーク２１のリング状外壁部２１ｂが接着剤を用いて固着され、且つ、下方円形凹部２７ｃの上方にボビン２４が進入する貫通孔２７ｄ及び上方円形凹部２７ｅが同心的に形成され、更に、各外周側面２７ａの頂角部位に空気流通用円弧状切り欠き部２７ｆが形成されている。
【００６４】
また、第１のサスペンション２９は、ポリイミドなどを用いて薄い厚みでリング状に形成されており、外周部がスピーカハウジング２７の上方に形成した上方円形凹部２７ｅの外周面上に接着剤を用いて固着され、且つ、内周部がボビン２４の軸方向の中間部位に位置する外周面２４ｄに接着剤を用いて固着されて、ボビン２４と一体に中心軸方向に揺動自在になっている。
【００６５】
また、リング状スペーサ３０は、樹脂材を用いて所定の厚みを持ってリング状に形成され、且つ、スピーカハウジング２７の上面２７ｂ上に接着剤を用いて固着されている。
【００６６】
更に、第２のサスペンション３１は、上記した第１のサスペンション２９と同様に形成されてこの第１のサスペンション２９よりも上方に位置しており、外周部が所定の厚みを持ったリング状スペーサ３０上に接着剤を用いて固着され、且つ、内周部がボビン２４の外周面２４ｄに接着剤を用いて固着されて、ボビン２４と一体に中心軸方向に揺動自在になっている。
【００６７】
尚、この実施例１では、ボイスコイル２５の引き出し線２５ａを、ヨーク２１の底面２１ｃに形成して絶縁皮膜が施された孔２１ｃ１を通して外部に引き出すようにしているが、これに限ることなく、ボイスコイル２５の引き出し線２５ａをスピーカハウジング２７側から外部に引き出すようにしても良い。
【００６８】
そして、スピーカ駆動ユニット２０Ａを組み立てる時には、スピーカハウジング２７の下方円形凹部２７ｃ内にヨーク２１のリング状外壁部２１ｂを接着剤により固着し、且つ、ヨーク２１の円形凹部２１ａ内に円筒状のマグネット２２と円筒状のポールピース２３とを振動板セグメント１２の中心軸Ｏを中心にして積層して取り付けている。更に、ボビン２４の他端部２４ｂ側の外周面２４ｄにボイスコイル２５を接着した状態で、このボビン２４の外周面２４ｄの中間部位を、スピーカハウジング２７の上方円形凹部２７ｅ内に取り付けた第１のサスペンション２９とリング状スペーサ３０を介して取り付けた第２のサスペンション３１とで揺動自在に支持し、且つ、ボビン２４の他端部２４ｂ側の内周面２４ｃをポールピース２３の外周面２３ａに対してごく僅かな隙間を隔てて対向するように配設している。
【００６９】
更に、スピーカ駆動ユニット２０Ａを組み立てた後に、ボビン２４の一端部２４ａを振動板セグメント１２の中心軸Ｏを中心にして形成した凸状リング部１２ｂの内周面に沿って接着剤を用いて接着している。
【００７０】
上記のように各構成部材により構成された一つのスピーカ駆動ユニット２０Ａにおいて、ヨーク２１と、マグネット２２と、ポールピース２３と、ボビン２４の外周面２４ｄに固着したボイスコイル２５とにより磁気回路を形成し、外部からボイスコイル２５に駆動電流を供給すると、上記した磁気回路によりボイスコイル２５に駆動力が発生してボビン２４が第１，第２のサスペンション２９，３１に揺動自在に支持されながら中心軸方向に移動するので、このボビン２４の一端部２４ａに接着された振動板セグメント１２が振動して再生音を得るものである。そして、合計で１１個のスピーカ駆動ユニット２０Ａを駆動すると、多面状多角形振動板セグメント１２を構成する１１個の振動板セグメント１２が振動し、各振動板セグメント１２の振動を合成して得た再生音（以下、合成再生音と記す）が得られるようになっている。
【００７１】
ここで、図７（ａ）に拡大して示した如く、上記したスピーカハウジング２７は、実施例１の要部を構成する部材であり、樹脂材を用いて５個の外周側面２７ａの内側上方に上面２７ｂが正五角形の振動板セグメント１２と同じ角数で略正五角形状に形成されている。
【００７２】
この際、スピーカハウジング２７の各外周側面２７ａは、内側に向かって外形が小さくなるような傾斜面となっており、且つ、各外周側面２７ａにピン部２７ａ１が突出形成されていると共に、このピン部２７ａ１に並んでピン嵌合孔２７ａ２が形成されている。
【００７３】
また、スピーカハウジング２７は、先に図６を用いて説明したように内部下方部位に下方円形凹部２７ｃ（図６のみ図示）が凹状に肉抜きして形成され、且つ、内部上方部位に上方円形凹部２７ｅが凹状に肉抜きして形成されていると共に、下方円形凹部２７ｃと上方円形凹部２７ｅとの間に貫通孔２７ｄが貫通して形成されている。
【００７４】
更に、スピーカハウジング２７の各外周側面２７ａの頂角部位には、空気流通用円弧状切り欠き部２７ｆが形成されている。
【００７５】
ここで、上記のように形成した１１個のスピーカハウジング２７と一つの五角形板２８｛図７（ｂ）｝とを仮に合体させて１２面の多面状スピーカハウジング組立体２６を得る場合には、複数のスピーカハウジング２７中で互いに接合していない各外周側面２７ａ同士を対向させて、一方のスピーカハウジング２７の外周側面２７ａから突出させたピン部２７ａ１を他方のスピーカハウジング２７の外周側面２７ａに形成したピン嵌合孔２７ａ２に嵌め合わせて凹凸嵌合により位置出しを行って両者を結合し、これを繰り返して１１個のスピーカハウジング２７と底面用の一つの五角形板２８｛図７（ｂ）｝とを凹凸嵌合により略球殻状に結合させると多面状スピーカハウジング組立体２６が得られる。
【００７６】
尚、この実施例１では、隣り合うスピーカハウジング２７同士を結合する際に、ピン部２７ａ１とピン嵌合孔２７ａ２とにより凹凸嵌合させているものの、これに限定されることなく、相互に位置出し可能な凹凸嵌合でも良い。
【００７７】
そして、図７（ｂ）に示したように、１１個のスピーカハウジング２７と一つの五角形板２８とを仮に合体させると、１２面の多面状スピーカハウジング組立体２６が略球殻状に得られるが、この際、多面状スピーカハウジング組立体２６の各頂角部位には各スピーカハウジング２７の頂角部位に形成した空気流通用円弧状切り欠き部２７ｆを３個合わせた空気流通用孔が形成され、この空気流通用孔を通して振動板１１（図１〜図６）と多面状スピーカハウジング組立体２６との間の空気が多面状スピーカハウジング組立体２６内に流れ込むことができるので、多面状スピーカハウジング組立体２６内での空気容量の増加に伴ってより低い周波数側に低域の共振周波数ｆｏがシフトするために特に低音域において良好な音響特性が得られる。
【００７８】
尚、この実施例１では、多面状スピーカハウジング組立体２６に形成した空気流通用孔は、各スピーカハウジング２７の頂角部位に形成した空気流通用円弧状切り欠き部２７ｆを３個合わせた例を提示したが、これに限ることなく、空気流通用孔を多面状スピーカハウジング組立体２６の適宜な位置に適宜な形状で少なくとも一つ以上形成しておけば良いものである。
【００７９】
更に尚、実施例１におけるスピーカハウジング２７は、この上面２７ｂが振動板セグメント１２と同じように略正五角形に形成されることで、このスピーカハウジング２７を略球殻状に複数個結合した時に小型化が図れるが、これに限ることなく、スピーカハウジングの上面は振動板セグメント１２の角数よりも大きな角数を有した多角形であれば良く、この多角形のスピーカハウジングを略球殻状に複数個結合して多面状スピーカハウジング組立体を得た時に、スピーカハウジングの数は各振動板セグメント１２と対向できる面数を有すれば良いものである。
【００８０】
ところで、実施例１の電気音響変換器１０Ａを実際に組み立てる場合には、図６及び図８に示したように、一つのスピーカハウジング２７をベースにして、このスピーカハウジング２７の内側に、スピーカ駆動ユニット２０Ａを構成する各構成部材としてヨーク２１と、マグネット２２と、ボールピース２３と、ボイスコイル２５を固着させたボビン２４と、第１のサスペンション２９と、スペーサ３０と、第２のサスペンション３１とを上記順で組み立ててスピーカ駆動ユニット２０Ａを得た後、スピーカ駆動ユニット２０Ａを１１個のスピーカハウジング２７の上面２７ｂに取り付けると共に、これら１１個のスピーカハウジング２７に底面となる一つの五角形板２８｛図７（ｂ）｝を合体させて多面状スピーカハウジング組立体２６を得て、一つの五角形板２８｛図７（ｂ）｝に配線用兼支持用のパイプ部材１５（図１〜図３）を固着させている。
【００８１】
この後、多面状スピーカハウジング組立体２６中の一つの五角形板２８｛図７（ｂ）｝と対向した台座１３（図２）の貫通孔１３ａ内に一つの五角形板２８｛図７（ｂ）｝に固着させたパイプ部材１５（図１〜図３）を挿通し、更に、１１個のスピーカ駆動ユニット２０Ａ中の各ボビン２４の一端部２４ａに接着剤を充填し、且つ、各ボビン２４の一端部２４ａの上方から１１面の振動板１１をかぶせて、各ボビン２４の一端部２４ａを振動板１１中の各振動板セグメント１２の凸状リング部１２ｂ内にそれぞれ接着することで、１１面の振動板１１と台座１３（図２）とによる１２面の多面状振動板組立体１１Ａ内に、これと略相似で小型に形成した１２面の多面状スピーカハウジング組立体２６が収納されて、実施例１の電気音響変換器１０Ａが完成する。
【００８２】
尚、図８中には、スピーカ駆動ユニット２０Ａ中のボビン２４を中心軸方向に揺動自在に支持する第１，第２のサスペンション２９，３１の形状を具体的に図示している。
【００８３】
上記から、複数のスピーカ駆動ユニット２０Ａを多面状スピーカハウジング組立体２６中の複数のスピーカハウジング２７に取り付けているので、複数のスピーカ駆動ユニット２０Ａを取り付けるための多面状支持体を別に設ける必要がないために、実施例１の電気音響変換器１０Ａを安価に提供できる。
【００８４】
次に、上記のように作製した実施例１の電気音響変換器１０Ａの音響特性について図９〜図１３を用いて説明する。
【００８５】
図９は本発明に係る実施例１の電気音響変換器において、振動板セグメントの傾斜面部及び大径円が偏心していない場合に、振動板セグメント表面の定在波分布を説明するための図、
図１０は本発明に係る実施例１の電気音響変換器において、振動板セグメントの傾斜面部及び大径円が偏心している場合に、振動板セグメント表面の定在波分布を説明するための図、
図１１は本発明に係る実施例１の電気音響変換器において、振動板セグメントによる再生音の周波数特性を示した図、
図１２は本発明に係る実施例１の電気音響変換器における合成再生音の周波数特性を示した図、
図１３は本発明に係る実施例１の電気音響変換器の指向特性を示した図である。
【００８６】
図９及び図１０は、振動板セグメント１２の中心軸Ｏに対して振動板セグメント１２の傾斜面部１２ｃ及び大径円１２ｄが偏心していない場合と、偏心している場合とに対して振動解析をそれぞれ行った時の振動の様子を示しており、振動解析条件として、実際の磁気回路の磁界の強さ、実効コイル長と巻き数から得られる力を正弦振動としてボイスコイル２５（図６）に加え、例えば１２Ｋ（Ｈｚ）の時に各振動板セグメント１２の中心軸方向の変位の分布を実線で示し、且つ、振動板Ａ−Ａ断面形状を二点鎖線で示している。
【００８７】
そして、図９に示したように、振動板セグメント１２の傾斜面部１２ｃ及び大径円１２ｄが偏心していない場合に、定在波は振動板セグメント１２の中心軸Ｏを中心にして明らかに対称になっているので、１１個の振動板セグメント１２による合成再生音では各定在波が重なり合って強調されてしまう。
【００８８】
一方、図１０に示したように、一つの振動板セグメント１２の傾斜面部１２ｃ及び大径円１２ｄが偏心している場合に、定在波は振動板セグメント１２の中心軸Ｏを中心にして明らかに非対称になっているので、１１個の振動板セグメント１２による合成再生音では振動板セグメント１２上の各定在波による音波の重ね合わせによる強めあい、弱めあいが緩和されるので音響特性が良好となる。
【００８９】
ここで、図１１に示した如く、振動板セグメント１２による再生音の周波数特性において、正五角形に形成した振動板セグメント１２の一辺の長さを例えば３４ｍｍに設定し、且つ、振動板セグメント１２の傾斜面部１２ｃ及び大径円１２ｄの偏心量Ｈ（図５，図１０）を正五角形の一つの頂角側に例えば０ｍｍ，  １．５ｍｍ，  ３ｍｍとそれぞれ偏心させた場合に、偏心量Ｈが大きくなるにつれて１５０（Ｈｚ）付近に現れるピークＰのレベル値が低くなると共に、８Ｋ（Ｈｚ）付近に現れるディップＤの深さも偏心させることによってなだらかに小さくなるので、偏心量Ｈが大きい方が各振動板１２により得られる各再生音の周波数レスポンスにおいて生じるディップＤも低減できるので音響特性が良好となる。
【００９０】
そして、振動板セグメント１２の傾斜面部１２ｃ及び大径円１２ｄの偏心量Ｈ（図５，図１０）を例えば３ｍｍに設定した場合、１１個の振動板セグメント１２を略球殻状に形成した電気音響変換器１０Ａにおける合成再生音の周波数特性は図１２に示したようになる。この場合、１１個の振動板セグメント１２においては偏心により抑制された合成再生音のピークＰＧが現れる周波数は、一つの振動板セグメント１２による再生音のピークＰ（図１１）が現れる１５０（Ｈｚ）付近の周波数よりも一般的に高くなり５００（Ｈｚ）付近になる。この合成再生音のピークＰＧは既に抑制されているので、不図示のデジタル・シグナル・プロセッサ（ＤＳＰ）により点線で示したように合成再生音のピークＰＧのレベル値が小さくなるように容易に補正することができる。
【００９１】
更に、図１３に示したように、１１個の振動板セグメント１２を略球殻状に形成した電気音響変換器１０Ａの指向特性は、例えば２Ｋ（Ｈｚ），５Ｋ（Ｈｚ），１０Ｋ（Ｈｚ）のいずれの周波数においてもそれぞれ円形な無指向性となり、且つ、３次元的にも略同様の無指向性が得られるので、呼吸球として無指向性を持った良好な点音源が得られる。
【００９２】
次に、実施例１の電気音響変換器１０Ａの応用例について図１４及び図１５を用いて簡略に説明する。
【００９３】
図１４は本発明に係る実施例１の電気音響変換器の応用例１を示した斜視図、
図１５は本発明に係る実施例１の電気音響変換器の応用例２を示した斜視図である。
【００９４】
図１４に示した如く、本発明に係る実施例１の電気音響変換器１０Ａの応用例１では、１２面を有する電気音響変換器１０Ａ中で底面及び天面に振動板セグメント１２を設けずに、１２面のうちで底面及び天面を、振動板セグメント１２と同じ外形を有する台座１３に置き換えて、各台座１３を介して配線用兼支持用のパイプ部材１５をそれぞれ取り付けることで、複数の電気音響変換器１０Ａをシリーズに連結して使用することができる。
【００９５】
この際、各パイプ部材１５は各台座１３に取り付けられると共に、各パイプ部材１５の一端部は、各台座１３と対向して内部に設けられ且つ多面状スピーカハウジング組立体２６中でスピーカハウジング２７と略同じ外形を有して略球殻状に結合された各五角形板（各支持板）２８｛図７（ｂ）｝に支持されている。
【００９６】
一方、図１５に示した如く、本発明に係る実施例１の電気音響変換器１０Ａの応用例２では、１２面を有する電気音響変換器１０Ａ中で適宜ないくつかの面に振動板セグメント１２を設けずに、これら複数の面に各台座１３を介して配線用兼支持用のパイプ部材１５をそれぞれ取り付けることで、複数の電気音響変換器１０Ａを適宜な方向に向けて連結することができる。
【実施例２】
【００９７】
図１６は本発明に係る実施例２の電気音響変換器を説明するために模式的に示した斜視図である。
【００９８】
図１６に示した本発明に係る実施例２の電気音響変換器１０Ｂは、先に説明した実施例１の電気音響変換器１０Ａの構成と一部を除いて同様の構成であり、ここでは説明の便宜上、先に示した構成部材に対しては同一の符号を付し、且つ、先に示した構成部材は必要に応じて適宜説明し、実施例１に対して異なる点について説明する。
【００９９】
図１６に示した如く、本発明に係る実施例２の電気音響変換器１０Ｂも、実施例１と同様に、呼吸球に近い無指向性の点音源が得られるように構成されている。
【０１００】
この実施例２では、１１個の振動板セグメント１２を有する振動板１１を作成する際に、実施例１とは異なって、例えば正五角形に形成された振動板セグメント１２が一個づつ予め切り離されて１１個用意されており、略正五角形に形成された一つのスピーカハウジング２７をベースにして実施例１と同じ構造形態でスピーカ駆動ユニットを組み立てた後に、このスピーカ駆動ユニットのボビン２４の一端部に正五角形に形成された振動板セグメント１２を接着することで、ユニット化した振動板付きスピーカ駆動ユニット２０Ｂを１１個得ている。
【０１０１】
この後、実施例２の電気音響変換器１０Ｂを多面状に組み立てる時に、１１個のスピーカハウジング２７と一つの五角形板２８｛図７（ｂ）｝とを略球殻状に結合して１２面の多面状スピーカハウジング組立体２６を得ている。
【０１０２】
更に、上記した多面状スピーカハウジング組立体２６の外側に、１１個の振動板付きスピーカ駆動ユニット２０Ｂにそれぞれ取り付けられた１１個の振動板セグメント１２を略球殻状に接合して振動板１１を得ると共に、この振動板１１に正五角形に形成された一つの台座１３（図２）を略球殻状に結合させて１２面の多面状振動板組立体１１Ａを得ている
この際、振動板セグメント１２の各辺が予め切り離されているので、１１個の振動板セグメント１２を接合した振動板１１を略球殻状に形成する場合に、各振動板セグメント１２を先に実施例１で図４を用いて説明したと同様の向きに配列させて、隣り合う振動板セグメント１２の全ての辺にエッジ部材１４（図１，図２）を取り付けて結合している。
【０１０３】
従って、実施例２の電気音響変換器１０Ｂでも、先に図１〜図３を用いて説明した実施例１の電気音響変換器１０Ａと外観形状が同じになり、且つ、実施例１と同様な音響特性となるので、実施例２の電気音響変換器１０Ｂも無指向性を持った点音源として得られ、且つ、ユニット化した振動板付きスピーカ駆動ユニット２０Ｂを多数用意しておけば生産効率を向上させることができると共に、多面状スピーカハウジング組立体２６により複数の振動板付きスピーカ駆動ユニット２０Ｂを取り付けるための多面状支持体を別に設ける必要がないために、実施例２の電気音響変換器１０Ｂを安価に提供できる。
【０１０４】
更に、ここでの図示を省略するものの、実施例２の電気音響変換器１０Ｂでも、先に図１４及び図１５を用いて説明した実施例１の応用例１，２と同様に、複数の電気音響変換器１０Ｂを配線用兼支持用のパイプ部材１５を介して連結することが可能である。
【実施例３】
【０１０５】
図１７は本発明に係る実施例３の電気音響変換器の外観形状を底面側から見た斜視図、
図１８は本発明に係る実施例３の電気音響変換器において、１２個の正五角形の振動板セグメントを接続した振動板を平面的に展開して示した平面図、
図１９は本発明に係る実施例３の電気音響変換器を説明するために、底面側を主体にして一部破断して模式的に示した斜視図、
図２０（ａ）〜（ｃ）は本発明に係る実施例３の電気音響変換器において、振動板の内面側の各辺の接合部位と、スピーカハウジングとを連結するために、必要に応じて取り付けた振動板連結部材を説明するために示した斜視図である。
【０１０６】
図１７に示した本発明に係る実施例３の電気音響変換器１０Ｃは、先に説明した実施例１，２の電気音響変換器１０Ａ，１０Ｂの構成と一部を除いて同様の構成であり、ここでは説明の便宜上、先に示した構成部材に対しては同一の符号を付し、且つ、先に示した構成部材は必要に応じて適宜説明し、実施例１，２と異なる構成部材に新たな符号を付して実施例１，２に対して異なる点について説明する。
【０１０７】
図１７に示した如く本発明に係る実施例３の電気音響変換器１０Ｃでは、実施例１，２とは異なって、この電気音響変換器１０Ｃの底面となる部位に台座１３（図２）が設けられてなく、これに代えて、底面となる部位に配線用兼支持用のパイプ部材１５を挿通可能な一つの五角形の振動板セグメント１２’を用意して、図１８にも示したように、１１個の振動板セグメント１２と、底面側と対応する一つの振動板セグメント１２’とで合計１２個が連接した振動板１１’を形成し、この振動板１１’を隣り合う振動板セグメント１２，１２’間にそれぞれ形成した複数のエッジ部１２ｆ及び複数のエッジ部材１４を介して略球殻状に結合させることで、多面状の全ての面に振動板セグメント１２，１２’が設けられた振動板１１’のみで１２面の多面状振動板組立体１１Ａ’が組み立てられている。
【０１０８】
尚、上記した多面状振動板組立体１１Ａ’を略球殻状に組み立てる際に、図１８に示したように、１１個の振動板セグメント１２と底面と対応する一つの振動板セグメント１２’とを予め連接しておく方法と、１１個の振動板セグメント１２と底面と対応する一つの振動板セグメント１２’とをそれぞれ切り離して後述する各スピーカ駆動ユニット２０Ｂ，２０Ｃにそれぞれ取り付けた後に１２個の振動板セグメント１２，１２’を接合する方法のいずれでも良い。
【０１０９】
ここで、図１９に示した如く、上記に伴って、電気音響変換器１０Ｃの底面となる部位に配線用兼支持用のパイプ部材１５を取り付ける場合には、底面側と対応する一つの振動板セグメント１２’の凹球面部１２ａ内にパイプ挿入孔１２ａ１がこの振動板セグメント１２’の中心軸Ｏを中心にしてパイプ部材１５の外径に略一致させて貫通して形成されている。
【０１１０】
この際、パイプ部材１５の材料は、一つの振動板セグメント１２’の内面側に取り付けられる一つのスピーカ駆動ユニット２０Ｃ内を挿通させるために、アルミ材とか樹脂材などの非磁性材を用いている。
【０１１１】
また、一つの振動板セグメント１２’に形成した凹球面部１２ａの内面に、フェルトとか布を用いて管状に形成した管状緩衝材４１がパイプ挿入孔１２ａ１の外周に沿って接着されて振動板セグメント１２’と一体に中心軸方向に揺動自在になっており、この管状緩衝材４１はパイプ部材１５をパイプ挿入孔１２ａ１内に挿入した時にパイプ部材１５とパイプ挿入孔１２ａ１との隙間から上記振動板セグメント１２’の内面側の空気が外部に漏れるのを防ぐために設けたものである。
【０１１２】
また、実施例３の電気音響変換器１０Ｃは、１１個の振動板セグメント１２と対応して各振動板セグメント１２の内面側に、実施例１（又は実施例２）で説明した１１個のスピーカ駆動ユニット２０Ａ（又は２０Ｂ）が各振動板セグメント１２の中心軸Ｏを中心にして同心的に取り付けられ、更に、底面側と対応する一つの振動板セグメント１２’の内面側にも、１１個のスピーカ駆動ユニット２０Ａ（又は２０Ｂ）と一部構造が異なる一つのスピーカ駆動ユニット２０Ｃが振動板セグメント１２’の中心軸Ｏを中心にして同心的に取り付けられており、この一つのスピーカ駆動ユニット２０Ｃによって一つの振動板セグメント１２’が１１個の振動板セグメント１２と同様に振動可能になっている。
【０１１３】
更に、１１個のスピーカ駆動ユニット２０Ａ（又は２０Ｂ）をそれぞれ取り付けた１１個のスピーカハウジング２７と、底面側と対応する一つのスピーカ駆動ユニット２０Ｃを取り付けたスピーカハウジング２７とによる１２面の多面状スピーカハウジング組立体２６が実施例１，２と略同様に略球殻状に結合されている。
【０１１４】
上記した一つのスピーカ駆動ユニット２０Ｃは、１１個のスピーカ駆動ユニット２０Ａ（又は２０Ｂ）の各構成部材中でヨーク２１と、マグネット２２と、ポールピース２３とがパイプ部材１５を取り付けるために一部形状を違えている。
【０１１５】
具体的に説明すると、一つのスピーカ駆動ユニット２０Ｃの各構成部材中で、ヨーク２１は、この底面２１ｃにパイプ部材１５の一端部に形成したネジ部１５ａを螺合させるネジ孔２１ｃ２が振動板セグメント１２’の中心軸Ｏを中心にして貫通して形成されている。
【０１１６】
また、マグネット２２及びポールピース２３は、パイプ部材１５を挿通させるための各パイプ挿入孔２２ｂ，２３ｂが振動板セグメント１２’の中心軸Ｏを中心にしてパイプ部材１５の外径に略一致させて貫通して形成されている。
【０１１７】
従って、パイプ部材１５を電気音響変換器１０Ｃの底面側と対応する一つの振動板セグメント１２’の凹球面部１２ａに形成したパイプ挿入孔１２ａ１から挿入し、更に、パイプ部材１５の一端部側をマグネット２２，ポールピース２３に形成した各パイプ挿入孔２２ｂ，２３ｂ内を挿通させた後に、パイプ部材１５の一端部に形成したネジ部１５ａをヨーク２１の底面２１ｃに形成したネジ孔２１ｃ２に螺合させることで、パイプ部材１５がヨーク２１に固定され、且つ、パイプ部材１５内に複数のボイスコイル２５の各引き出し線２５ａを挿通させて外部に引き出している。
【０１１８】
上記のように、実施例３における振動板１１’は、１１個の振動板セグメント１２と、底面側と対応した一つの振動板セグメント１２’とが連接されて、多面状の全ての面に設けた振動板セグメント１２，１２’がそれぞれ振動するために、実施例１，２の場合よりも振動板１１’の振動特性を更に向上させることができる。
【０１１９】
尚、この実施例３では、電気音響変換器１０Ｃの底面側と対応する振動板セグメント１２’にパイプ部材１５を取り付ける場合について説明したが、先に図１４及び図１５を用いて説明した実施例１の応用例１，２と同様に、複数の電気音響変換器１０Ｃを配線用兼支持用のパイプ部材１５を介して連結する場合には、１２個の振動板セグメント１２，１２’のいくつかに対してパイプ部材１５を挿入するためのパイプ挿入孔１２ａ１を中心部位に形成して、各パイプ部材１５が取り付けられる上記形状の各振動板セグメント１２’に対して上記形状の各スピーカ駆動ユニット２０Ｃを取り付ければ良いものである。
【０１２０】
更に、図１９に示したように、本発明に係る実施例３の電気音響変換器１０Ｃでは、多面状振動板組立体１１Ａ’が比較的大きい場合とか、多面状振動板組立体１１Ａ’中の各エッジ部材１４が柔らかい部材で形成されている場合に、多面状振動板組立体１１Ａ’中の各振動板セグメント１２（又は１２’）自体の自重により歪まないように、各振動板セグメント１２（又は１２’）の内面側の各辺の接合部位と、各振動板セグメント１２（又は１２’）と対向する各スピーカ駆動ユニット２０Ａ（又は２０Ｂ），（２０Ｃ）を取り付けた各スピーカハウジング２７の上面２７ｂとを連結する複数の振動板連結部材４２が必要に応じて取り付けられている。
【０１２１】
ここで、図２０（ａ）〜（ｃ）に示した如く、上記した振動板連結部材４２は、振動板１１’（図１９）を構成する各振動板セグメント１２（又は１２’）の振動に対して悪影響を及ぼさないように各振動板セグメント１２（又は１２’）の可撓性よりも大なる可撓性を有する例えばウレタンゴムなどの材料を用いて形成されている。
【０１２２】
この振動板連結部材４２は、五角形に形成されたスピーカハウジング２７の上面２７ｂの外形寸法に略合わせて底面４２ａが五角形に形成され、且つ、この底面４２ａ内にスピーカハウジング２７の上面２７ｂに取り付けられたリング状スペーサ３０を逃げるための円形状逃げ孔４２ａ１が貫通して形成されていると共に、底面４２ａの各頂角部位に空気流通孔４２ａ２がスピーカハウジング２７の空気流通用円弧状切り欠き部２７ｆと対向して形成されている。
【０１２３】
また、振動板連結部材４２の底面４２ａの各辺から振動板セグメント１２（又は１２’）の各辺に向かって徐々に外側に広がるような傾斜面４２ｂが５面に亘って形成されており、各傾斜面４２ｂ同士は互いに接続されて、各傾斜面４２ｂの内部に剛性を弱めるための矩形状逃げ孔４２ｂ１が貫通してそれぞれ形成されている。
【０１２４】
そして、振動板連結部材４２の底面４２ａをスピーカハウジング２７の上面２７ｂ上に接着剤を用いて取り付けると共に、各傾斜面４２ｂの端部を振動板セグメント１２（又は１２’）の各辺の接合部位となるエッジ部１２ｆ（図１８），エッジ部材１４に対して内面側から接着剤を用いて取り付けている。
【０１２５】
更に、実施例３では、振動板連結部材４２の各傾斜面４２ｂの端部は、振動板セグメント１２（又は１２’）の各辺全部に亘って接着されているが、これに限ることなく、振動板セグメント１２（又は１２’）の各辺の中央部位だけとか、振動板セグメント１２（又は１２’）の各辺の両端部位だけを部分的に支持できるような形状の振動板連結部材であっても良い。
【０１２６】
上記により、合計１２個の振動板セグメント１２，１２’ を接続した振動板１１’を略球殻状に形成した多面状振動板組立体１１Ａ’では、個々の振動板セグメント１２，１２’の各内面側が個々の振動板連結部材４２により支持されるので、多面状振動板組立体１１Ａ’中の各振動板セグメント１２，１２’の自重による変形が生じないので良好な音響特性が得られる。
【０１２７】
尚、振動板セグメント１２の内面側を振動板連結部材４２により支持する技術的思想は、先に説明した実施例１，２における１１個の振動板セグメント１２を接続した振動板１１を略球殻状に形成した多面状振動板組立体１１Ａ（図１〜図３）にも適用することが可能である。
【実施例４】
【０１２８】
図２１は本発明に係る実施例４の電気音響変換器の概略構成を摸式的に示した斜視図、
図２２は本発明に係る実施例４の電気音響変換器において、隣り合うスピーカ駆動ユニットを組み立てた状態を拡大して示した縦断面図、
図２３は本発明に係る実施例４の電気音響変換器において、（ａ）は多面状取付台組立体中の五角錐を拡大して示した斜視図であり、（ｂ）は多面状取付台組立体中の五角錐台を拡大して示した斜視図、
図２４は複数の五角錐を組み立てた多面状取付台組立体を示した斜視図である。
【０１２９】
図２１に示した本発明に係る実施例４の電気音響変換器１０Ｄは、先に説明した実施例１の電気音響変換器１０Ａの構成と一部を除いて同様の構成であり、ここでは説明の便宜上、先に示した構成部材に対しては同一の符号を付し、且つ、先に示した構成部材は必要に応じて適宜説明し、実施例１と異なる構成部材に新たな符号を付して実施例１に対して異なる点について説明する。
【０１３０】
図２１に示した本発明に係る実施例４の電気音響変換器１０Ｄも、実施例１と同様に、先に図４で示したような正五角形に形成した振動板セグメント１２を１１個接続した振動板１１と、この振動板１１の底面となる部位に剛性を持って形成した正五角形の台座１３（図２）とを略球殻状に結合して合計１２面からなる多面状振動板組立体１１Ａを得ていると共に、台座１３の中心部位に配線用兼支持用のパイプ部材１５を取り付けている。
【０１３１】
従って、実施例４の電気音響変換器１０Ｄの外観形状は、先に図１，図２を用いて説明した実施例１の電気音響変換器１０Ａと同じになることで、呼吸球に近い無指向性の点音源が得られるように構成されているものの、略球殻状に１２面を有して形成された多面状振動板組立体１１Ａの内部構造が実施例１に対して異なっている。
【０１３２】
即ち、本発明に係る実施例４の電気音響変換器１０Ｄでは、１２面を有して略球殻状に形成した多面状振動板組立体１１Ａの内部に、１１個のスピーカ駆動ユニット２０Ｄを取り付けるためにそれぞれ五角錐に形成された１１個のスピーカ取付台（以下、五角錐と記す）５２と、底面用として五角錐５２と略同じ形状に形成した一つの支持台（以下、一つの五角錐と記す）５２とを略球状に結合して、多面状振動板組立体１１Ａと略相似で且つ多面状振動板組立体１１Ａよりも小型に形成された１２面の多面状取付台組立体５１が収納されている。
【０１３３】
ここで、図２２に拡大して示した如く、振動板１１中で隣り合う振動板セグメント１２同士は必要に応じてエッジ部材１４を用いて結合し、また、台座１３（図２）と隣り合う各振動板セグメント１２に対してもエッジ部材１４を用いて結合している。
【０１３４】
また、振動板セグメント１２と対向してこの振動板セグメント１２を振動させるためのスピーカ駆動ユニット２０Ｄは、振動板セグメント１２の中心軸Ｏを中心にして下記する各構成部材が同心的に組み立てられている。この際、振動板セグメント１２はスピーカ駆動ユニット２０Ｄを組み立てた後に振動板セグメント１２の内面の中心部位に下記するボビン２４の一端部２４ａが接着されるので、実施例４で用いられるスピーカ駆動ユニット２０Ｄは振動板なしの状態でユニット化されたものである。
【０１３５】
上記したスピーカ駆動ユニット２０Ｄは、実施例１と異なって、このスピーカ駆動ユニット２０Ｄの基台となるスピーカハウジング５３が隣り合うスピーカハウジング５３に対して切り離されている。
【０１３６】
上記したスピーカハウジング５３は、非磁性の樹脂材を用いて円筒状の外周側面５３ａの内側上方に上面５３ｂがリング状に形成されていると共に、振動板セグメント１２の中心軸Ｏを中心にして内部下方部位に下方円形凹部５３ｃが肉抜きして形成され、且つ、下方円形凹部５３ｃの上方に貫通孔５３ｄ及び上方円形凹部５３ｅが同心的に形成されている。
【０１３７】
そして、スピーカ駆動ユニット２０Ｄを組み立てる時には、実施例１と略同様に、スピーカハウジング５３の下方円形凹部５３ｃ内にヨーク２１のリング状外壁部２１ｂを接着剤により固着し、且つ、ヨーク２１の円形凹部２１ａ内に円筒状のマグネット２２と円筒状のポールピース２３とを振動板セグメント１２の中心軸Ｏを中心にして積層して取り付けている。更に、ボビン２４の他端部２４ｂ側の外周面２４ｄにボイスコイル２５を接着した状態で、このボビン２４の外周面２４ｄの中間部位を、スピーカハウジング５３の上方円形凹部５３ｅ内に取り付けた第１のサスペンション２９とリング状スペーサ３０を介して取り付けた第２のサスペンション３１とで揺動自在に支持し、且つ、ボビン２４の他端部２４ｂ側の内周面２４ｃをポールピース２３の外周面２３ａに対してごく僅かな隙間を隔てて対向するように配設している。
【０１３８】
尚、この実施例４では、ボイスコイル２５の引き出し線２５ａをスピーカハウジング５３の外周側面５３ａ側から外部に引き出している。
【０１３９】
更に、スピーカ駆動ユニット２０Ｄを組み立てた後に、ボビン２４の一端部２４ａを振動板セグメント１２の中心軸Ｏを中心にして形成した凸状リング部１２ｂの内周面に沿って接着剤を用いて接着している。
【０１４０】
上記のように各構成部材により構成された一つのスピーカ駆動ユニット２０Ｄにおいて、ヨーク２１と、マグネット２２と、ポールピース２３と、ボビン２４の外周面２４ｄに固着したボイスコイル２５とにより磁気回路を形成し、外部からボイスコイル２５に駆動電流を供給すると、上記した磁気回路によりボイスコイル２５に駆動力が発生してボビン２４が第１，第２のサスペンション２９，３１に揺動自在に支持されながら中心軸方向に移動するので、このボビン２４の一端部２４ａに接着された振動板セグメント１２が振動して再生音を得るものである。そして、合計で１１個のスピーカ駆動ユニット２０Ｄを駆動すると、振動板１１を構成する１１個の振動板セグメント１２が振動して合成再生音が得られるようになっている。
【０１４１】
ここで、多面状振動板組立体１１Ａ内に１１個のスピーカ駆動ユニット２０Ｄを多面状取付台組立体５１により支持する場合、スピーカ取付台となる五角錐５２について、図２３（ａ）を用いて説明する。
【０１４２】
図２３（ａ）に拡大して示した如く、上記したスピーカ取付台となる五角錐５２は、実施例４の要部を構成する部材であり、非磁性の樹脂材を用いて正五角形の振動板セグメント１２の内面と対向する面が多角形面５２ａとして振動板セグメント１２と相似な五角形で且つ振動板セグメント１２よりも小型に形成され、且つ、この多角形面（以下、五角形面と記す）５２ａの各辺から各外周側面５２ｂが錐状に一体的に形成されていると共に、且つ、各外周側面５２ｂは内部中心部に向かうようになっている。この際、五角錐５２の各外周側面５２ｂには、ピン部５２ｂ１が突出形成されていると共に、このピン部５２ｂ１に並んでピン嵌合孔５２ｂ２が形成されている。
【０１４３】
また、スピーカ取付台となる五角錐５２の五角形面５２ａの中心部位には、スピーカ駆動ユニット２０Ｄの一部を構成するヨーク２１を位置決めして固着させるための位置決め用円形凹部５２ａ１が僅かに凹んで形成されており、この位置決め用円形凹部５２ａ１内に接着剤を充填して図２２及び図２４に示したようにヨーク２１の底面部２１ｃを接着することで、五角錐５２の五角形面５２ａにスピーカ駆動ユニット２０Ｄが振動板セグメント１２の内面の中心部位に向かって取り付けられるようになっている。
【０１４４】
図２２に戻り、上記のように形成した五角錐５２を隣り合わせて各外周側面５２ｂ同士を互いに対向させて、一方の五角錐５２の外周側面５２ｂから突出させたピン部５２ｂ１を他方の五角錐５２の外周側面５２ｂに形成したピン嵌合孔５２ｂ２に嵌め合わせて凹凸嵌合により位置出しを行って両者を結合し、これを繰り返して１１個の五角錐５２と底面用の一つの五角錐５２とを凹凸嵌合により略球状に結合させると１２面の多面状取付台組立体５１が得られ、更に、台座１３（図２）と対向した底面用の一つの五角錐５２に配線用兼支持用のパイプ部材１５の一端部を固着させている。
【０１４５】
尚、この実施例４では、隣り合う五角錐５２の各外周側面５２ｂ同士を結合する際に、ピン部５２ｂ１とピン嵌合孔５２ｂ２とにより凹凸嵌合させているものの、これに限定されることなく、相互に位置出しが可能な凹凸嵌合でも良い。
【０１４６】
尚、実施例４における五角錐５２は、この五角形面５２ａが振動板セグメント１２と同じように正五角形に形成されることで、この五角錐５２を略球状に複数個結合した時に小型化が図れるが、これに限ることなく、振動板セグメント１２の角数よりも大きな角数の多角形面を有した多角形の多角錐であれば良く、この多角錐を略球状に複数個結合して多面状取付台組立体を得た時に、多角錐の数は各振動板セグメント１２と対向できる面数を有すれば良いものである。
【０１４７】
更に尚、この実施例４において、図２３（ａ）に示した五角錐５２に代えて、図２３（ｂ）に示したような五角錐台５２Ａをスピーカ取付台として用い、この五角錐台５２Ａを略球状に複数結合して不図示の多面状取付台組立体を構成することもできる。
【０１４８】
上記した五角錐台５２Ａは、五角形面５２ａと、五角錐状の各外周側面５２ｂと、五角錐の先端の尖った部位を切断して形成した下面５２ｃとからなり、五角錐状の各外周側面５２ｂに結合用のピン部５２ｂ１とピン嵌合孔５２ｂ２が形成されているものである。この場合に、不図示の多面状取付台組立体は、複数の五角錐台５２Ａを略球状に結合した際に、各五角錐台５２Ａの下面５２ｃ側に不図示の内部空間が形成されるので、実施例１と略同様に、各五角錐台５２Ａの頂角部位とか、不図示の多面状取付台組立体中の適宜な位置とかに空気流通孔を適宜な形状で形成すれば良い。
【０１４９】
そして、実施例４の電気音響変換器１０Ｄを実際に組み立てる場合には、図２２及び図２４に示したように、一つのスピーカハウジング５３をベースにして、このスピーカハウジング５３の外周側面５３ａの内側に、スピーカ駆動ユニット２０Ｄを構成する各構成部材としてヨーク２１と、マグネット２２と、ボールピース２３と、ボイスコイル２５を固着させたボビン２４と、第１のサスペンション２９と、スペーサ３０と、第２のサスペンション３１とを上記順で組み立ててスピーカ駆動ユニット２０Ｄを得た後、１１個のスピーカ駆動ユニット２０Ｄを１１個の五角錐５２の五角形面５２ａ上に取り付けると共に、これら１１個の五角錐５２に底面となる一つの五角錐５２を合体させて多面状取付台組立体５１を得て、底面となる一つの五角錐５２に配線用兼支持用のパイプ部材１５を固着させている。
【０１５０】
この後、多面状取付台組立体５１中の一つの五角錐５２と対向した台座１３（図２）の貫通孔１３ａ内に一つの五角錐５２に固着させた配線用兼支持用のパイプ部材１５を挿通し、更に、１１個のスピーカ駆動ユニット２０Ｄ中の各ボビン２４の一端部２４ａに接着剤を充填し、且つ、各ボビン２４の一端部２４ａの上方から１１面の振動板１１をかぶせて、各ボビン２４の一端部２４ａを振動板１１中の各振動板セグメント１２の凸状リング部１２ｂ内にそれぞれ接着することで、１１面の振動板１１と台座１３（図２）とによる１２面の多面状振動板組立体１１Ａ内に、これと略相似で小型に形成した多面状取付台組立体５１の各五角錐５２に各スピーカ駆動ユニット２０Ｄが取り付けられた状態で収納されて、実施例４の電気音響変換器１０Ｄが完成する。
【０１５１】
尚、図２４中には、ボビン２４を中心軸方向に揺動自在に支持する第１，第２のサスペンション２９，３１の形状を具体的に図示している。
【０１５２】
上記から、電気音響変換器１０Ｄを量産するにあたって、一つのスピーカ駆動ユニット２０Ｄを一つの五角錐（スピーカ取付台）５２の五角形面５２ａの中心部位に取り付けた状態で多数個用意しておき、電気音響変換器１０Ｄを組み立てる時にスピーカ駆動ユニット２０Ｄを取り付けた五角錐（スピーカ取付台）５２を複数結合して多面状取付台組立体５１を組み立てることにより、電気音響変換器１０Ｄの生産性向上に寄与できる。
【０１５３】
従って、実施例４の電気音響変換器１０Ｄも、先に図１２及び図１３を用いて説明した実施例１の電気音響変換器１０Ａと同様な音響特性となるので、呼吸球として無指向性を持った良好な点音源が得られる。
【０１５４】
更に、ここでの図示を省略するものの、実施例４の電気音響変換器１０Ｄでも、先に図１４及び図１５を用いて説明した実施例１の応用例１，２と同様に、複数の電気音響変換器１０Ｄを配線用兼支持用のパイプ部材１５を介して連結することが可能である。
【実施例５】
【０１５５】
図２５は本発明に係る実施例５の電気音響変換器を説明するために模式的に示した斜視図である。
【０１５６】
図２５に示した如く、本発明に係る実施例５の電気音響変換器１０Ｅでは、実施例４とは異なって、正五角形に形成された振動板セグメント１２が一個づつ予め切り離されて１１個用意されており、一つのスピーカハウジング５３をベースにして実施例４と同じ構造形態でスピーカ駆動ユニットを組み立てた後に、このスピーカ駆動ユニットのボビン２４の一端部に正五角形に形成された振動板セグメント１２を接着することで、振動板付きスピーカ駆動ユニット２０Ｅを１１個得ている。
【０１５７】
この後、実施例５の電気音響変換器１０Ｅを組み立てる時に、１１個の振動板付きスピーカ駆動ユニット２０Ｅを、先に実施例４で図２３（ａ）を用いて説明した多面状取付台組立体５１を構成する１１個の五角錐５２にそれぞれ形成した五角形面５２ａの中心部位に取り付け、且つ、１１個の五角錐５２と、底面用の一つの五角錐５２とを略球状に結合して多面状取付台組立体５１を得ている。
【０１５８】
更に、上記した多面状取付台組立体５１の外側に、１１個の振動板付きスピーカ駆動ユニット２０Ｅにそれぞれ取り付けられた１１個の振動板セグメント１２を略球殻状に接合して振動板１１を得ると共に、この振動板１１に正五角形に形成された一つの台座１３（図２）を略球殻状に結合させて１２面の多面状振動板組立体１１Ａを得ている。
【０１５９】
この際、振動板セグメント１２の各辺が予め切り離されているので、１１個の振動板セグメント１２を接合して振動板１１を形成する場合に、各振動板セグメント１２を先に実施例１で図４を用いて説明したと同様の向きに配列させて、隣り合う振動板セグメント１２の全ての辺にエッジ部材１４（図２２）を取り付けて結合している。
【０１６０】
従って、実施例５の電気音響変換器１０Ｅでも、先に図２１，図２２を用いて説明した実施例４の電気音響変換器１０Ｄと外観形状が同じになり、且つ、実施例４と同様な音響特性となるので、実施例５の電気音響変換器１０Ｅも無指向性を持った点音源として得られる。また、ユニット化した一つの振動板付きスピーカ駆動ユニット２０Ｅを一つの五角錐５２の五角形面５２ａの中心部位に取り付けた状態で多数個用意しておき、電気音響変換器１０Ｅを組み立てる時に振動板付きスピーカ駆動ユニット２０Ｅを取り付けた五角錐５２を複数結合して組み立てることにより、電気音響変換器１０Ｅの生産性向上に寄与できる。
【０１６１】
更に、ここでの図示を省略するものの、実施例５の電気音響変換器１０Ｅでも、先に図１４及び図１５を用いて説明した実施例１の応用例１，２と同様に、複数の電気音響変換器１０Ｅを配線用兼支持用のパイプ部材１５を介して連結することが可能である。
【０１６２】
尚、この実施例５でも、１１個の振動板付きスピーカ駆動ユニット２０Ｅを、先に実施例４で図２３（ｂ）を用いて説明した多面状取付台組立体（図示せず）を構成する１１個の五角錐台５２Ａにそれぞれ形成した五角形面５２ａの中心部位に取り付け、且つ、１１個の五角錐台５２Ａと、底面側と対応する一つの五角錐台５２Ａとを略球状に結合することも可能である。
【実施例６】
【０１６３】
図２６は本発明に係る実施例６の電気音響変換器を説明するために、底面側を主体にして一部破断して模式的に示した斜視図、
図２７（ａ）〜（ｃ）は本発明に係る実施例６の電気音響変換器において、振動板の内面側の各辺の接合部位と、五角錐とを連結するために、必要に応じて取り付けた振動板連結部材を説明するために示した斜視図、
図２６に示した本発明に係る実施例６の電気音響変換器１０Ｆは、先に説明した実施例４，５の電気音響変換器１０Ｄ，１０Ｅの構成と一部を除いて同様の構成であり、ここでは説明の便宜上、先に示した構成部材に対しては同一の符号を付し、且つ、先に示した構成部材は必要に応じて適宜説明し、実施例４，５と異なる構成部材に新たな符号を付して実施例４，５に対して異なる点について説明する。
【０１６４】
図２６に示した如く本発明に係る実施例６の電気音響変換器１０Ｆでは、実施例４，５とは異なって、この電気音響変換器１０Ｆの底面となる部位に台座１３（図２）が設けられてなく、これに代えて、底面となる部位に配線用兼支持用のパイプ部材１５を挿通可能な一つの五角形の振動板セグメント１２’を用意して、先に実施例３で図１８を用いて説明したように、１１個の振動板セグメント１２と、底面側と対応する一つの振動板セグメント１２’とで合計１２個が連接した振動板１１’を形成し、この振動板１１’を隣り合う振動板セグメント１２，１２’間にそれぞれ形成した複数のエッジ部１２ｆ及び複数のエッジ部材１４を介して略球殻状に結合させることで、多面状の全ての面に振動板セグメント１２，１２’が設けられた振動板１１’のみで１２面の多面状振動板組立体１１Ａ’が組み立てられている。
【０１６５】
尚、この実施例６でも、実施例３と同様に、上記した多面状五角形振動板（多面状多角形振動板）１１’を略球殻状に形成する際に、先に図１８に示したように、１１個の振動板セグメント１２と底面と対応する一つの振動板セグメント１２’とを予め連接しておく方法と、１１個の振動板セグメント１２と底面と対応する一つの振動板セグメント１２’とをそれぞれ切り離して後述する各スピーカ駆動ユニット２０Ｅ，２０Ｆにそれぞれ取り付けた後に１２個の振動板セグメント１２，１２’を接合する方法のいずれでも良い。
【０１６６】
従って、実施例６の電気音響変換器１０Ｆの外観形状は、先に図１７を用いて説明した実施例３の電気音響変換器１０Ｃと同じになる。
【０１６７】
ここで、図２６に示した如く、上記に伴って、電気音響変換器１０Ｆの底面となる部位に配線用兼支持用のパイプ部材１５を取り付ける場合には、底面側と対応する一つの振動板セグメント１２’の凹球面部１２ａ内にパイプ挿入孔１２ａ１がこの振動板セグメント１２’の中心軸Ｏを中心にしてパイプ部材１５の外径に略一致させて貫通して形成されている。
【０１６８】
この際、パイプ部材１５の材料は、一つの振動板セグメント１２’の内面側に取り付けられる一つのスピーカ駆動ユニット２０Ｆ内を挿通させるために、アルミ材とか樹脂材などの非磁性材を用いている。
【０１６９】
また、一つの振動板セグメント１２’に形成した凹球面部１２ａの内面に、フェルトとか布を用いて管状に形成した管状緩衝材４１がパイプ挿入孔１２ａ１の外周に沿って接着されて振動板セグメント１２’と一体に中心軸方向に揺動自在になっており、この管状緩衝材４１はパイプ部材１５をパイプ挿入孔１２ａ１内に挿入した時にパイプ部材１５とパイプ挿入孔１２ａ１との隙間から上記振動板セグメント１２’の内面側の空気が外部に漏れるのを防ぐために設けたものである。
【０１７０】
また、実施例６の電気音響変換器１０Ｆは、１１個の振動板セグメント１２と対応して各振動板セグメント１２の内面側に、実施例４（又は実施例５）で説明した１１個のスピーカ駆動ユニット２０Ｄ（又は２０Ｅ）が各振動板セグメント１２の中心軸Ｏを中心にして同心的に取り付けられ、更に、底面側と対応する一つの振動板セグメント１２’の内面側にも、１１個のスピーカ駆動ユニット２０Ｄ（又は２０Ｅ）と一部構造が異なる一つのスピーカ駆動ユニット２０Ｆが振動板セグメント１２’の中心軸Ｏを中心にして同心的に取り付けられており、この一つのスピーカ駆動ユニット２０Ｆによって一つの振動板セグメント１２’が１１個の振動板セグメント１２と同様に振動可能になっている。
【０１７１】
更に、１１個のスピーカ駆動ユニット２０Ｄ（又は２０Ｅ）をそれぞれ取り付けた１１個の五角錐（スピーカ取付台）５２と、底面側と対応する一つのスピーカ駆動ユニット２０Ｆを取り付けるために五角錐５２と略同じ形状に形成した一つの五角錐（スピーカ取付台）５２’とによる１２面の多面状取付台組立体５１’が実施例４，５と略同様に略球状に結合されている。この際、一つの五角錐（スピーカ取付台）５２’は、各スピーカ駆動ユニット２０Ｄ（又は２０Ｅ），２０Ｆからの配線ワイヤを配線用兼支持用のパイプ部材１５に導くために上面５２ａの形状が１１個の五角錐（スピーカ取付台）５２に対して一部異なっているだけである。
【０１７２】
上記した一つのスピーカ駆動ユニット２０Ｆは、１１個のスピーカ駆動ユニット２０Ｄ（又は２０Ｅ）の各構成部材中でヨーク２１と、マグネット２２と、ポールピース２３とがパイプ部材１５を取り付けるために一部形状を違えている。
【０１７３】
具体的に説明すると、一つのスピーカ駆動ユニット２０Ｆの各構成部材中で、ヨーク２１は、この底面２１ｃにパイプ部材１５の一端部に形成したネジ部１５ａを螺合させるネジ孔２１ｃ２が振動板セグメント１２’の中心軸Ｏを中心にして貫通して形成されている。
【０１７４】
また、マグネット２２及びポールピース２３は、パイプ部材１５を挿通させるための各パイプ挿入孔２２ｂ，２３ｂが振動板セグメント１２’の中心軸Ｏを中心にしてパイプ部材１５の外径に略一致させて貫通して形成されている。
【０１７５】
従って、パイプ部材１５を電気音響変換器１０Ｆの底面側と対応する一つの振動板セグメント１２’の凹球面部１２ａに形成したパイプ挿入孔１２ａ１から挿入し、更に、パイプ部材１５の一端部側をマグネット２２，ポールピース２３に形成した各パイプ挿入孔２２ｂ，２３ｂ内を挿通させた後に、パイプ部材１５の一端部に形成したネジ部１５ａをヨーク２１の底面２１ｃに形成したネジ孔２１ｃ２に螺合させることで、パイプ部材１５がヨーク２１に固定され、且つ、一つの五角錐５２’の五角形面５２ａに幅狭く形成した配線用溝５２ａ２を通した複数のボイスコイル２５の各引き出し線２５ａをパイプ部材１５内に挿通させて外部に引き出している。
【０１７６】
尚、実施例６においても、１２個のスピーカ駆動ユニット２０Ｄ（又は２０Ｅ），２０Ｆを、先に実施例４で図２３（ｂ）を用いて説明した１２個の五角錐台５２Ａの各五角形面５２ａにそれぞれ取り付けても良い。
【０１７７】
更に尚、実施例６では、実施例３と略同様に、パイプ部材１５の一端部をスピーカ駆動ユニット２０Ｆ内のヨーク２１の底面２１ｃに固着させたが、これに限ることなく、パイプ部材１５の一端部をスピーカ駆動ユニット２０Ｆ内のヨーク２１の中心部位を挿通させた後に一つの五角錐５２の五角形面５２ａ（又は一つの五角錐台５２Ａの五角形面５２ａ）に固着させることも可能である。
【０１７８】
上記のように、実施例６における振動板１１’は、１１個の振動板セグメント１２と、底面側と対応した一つの振動板セグメント１２’とが連接されて、多面状の全ての面に設けた振動板セグメント１２，１２’がそれぞれ振動するために、実施例４，５の場合よりも振動板１１’の振動特性を更に向上させることができる。
【０１７９】
尚、この実施例６では、電気音響変換器１０Ｆの底面側と対応する振動板セグメント１２’にパイプ部材１５を取り付ける場合について説明したが、先に図１４及び図１５を用いて説明した実施例１の応用例１，２と同様に、複数の電気音響変換器１０Ｆを配線用兼支持用のパイプ部材１５を介して連結する場合には、１２個の振動板セグメント１２，１２’のいくつかに対してパイプ部材１５を挿入するためのパイプ挿入孔１２ａ１を中心部位に形成して、各パイプ部材１５が取り付けられる上記形状の各振動板セグメント１２’に対して上記形状の各スピーカ駆動ユニット２０Ｆを取り付ければ良いものである。
【０１８０】
更に、図２６に示したように、本発明に係る実施例６の電気音響変換器１０Ｆでは、多面状振動板組立体１１Ａ’が比較的大きい場合とか、多面状振動板組立体１１Ａ’中の各エッジ部材１４が柔らかい部材で形成されている場合に、多面状振動板組立体１１Ａ’中の各振動板セグメント１２（又は１２’）自体の自重により歪まないように、各振動板セグメント１２（又は１２’）の内面側の各辺の接合部位と、各振動板セグメント１２（又は１２’）と対向する各スピーカ駆動ユニット２０Ｄ（又は２０Ｅ），（２０Ｆ）を取り付けた各五角錐５２（又は５２’）の五角形面５２ａとを連結する複数の各振動板連結部材５４が必要に応じて取り付けられている。
【０１８１】
ここで、図２７（ａ）〜（ｃ）に示した如く、上記した振動板連結部材５４は、振動板１１’（図２６）を構成する各振動板セグメント１２（又は１２’）の振動に対して悪影響を及ぼさないように各振動板セグメント１２（又は１２’）の可撓性よりも大なる可撓性を有する例えばウレタンゴムなどの材料を用いて形成されている。
【０１８２】
この振動板連結部材５４は、五角錐５２（又は５２’）の五角形面５２ａの外形寸法に略合わせて底面５４ａが五角形に形成され、且つ、この底面５４ａ内にスピーカハウジング５３の下面側に取り付けられたヨーク２１を逃げるための円形状逃げ孔５４ａ１が貫通して形成されている。
【０１８３】
また、振動板連結部材５４の底面５４ａの各辺から振動板セグメント１２（又は１２’）の各辺に向かって徐々に外側に広がるような傾斜面５４ｂが５面に亘って形成されており、各傾斜面５４ｂ同士は互いに接続されて、各傾斜面５４ｂの内部に剛性を弱めるための矩形状逃げ孔５４ｂ１が貫通してそれぞれ形成されている。
【０１８４】
そして、振動板連結部材５４の底面５４ａを五角錐５２（又は５２’）の五角形面５２ａ上に接着剤を用いて取り付けると共に、各傾斜面５４ｂの端部を振動板セグメント１２（又は１２’）の各辺の接合部位となるエッジ部１２ｆ（図１８），エッジ部材１４に対して内面側から接着剤を用いて取り付けている。
【０１８５】
更に、実施例６では、振動板連結部材５４の各傾斜面５４ｂの端部は、振動板セグメント１２（又は１２’）の各辺全部に亘って接着されているが、これに限ることなく、振動板セグメント１２（又は１２’）の各辺の中央部位だけとか、振動板セグメント１２（又は１２’）の各辺の両端部位だけを部分的に支持できるような形状の振動板連結部材であっても良い。
【０１８６】
上記により、合計１２個の振動板セグメント１２，１２’を接続した振動板１１’を略球殻状に形成した多面状振動板組立体１１Ａ’では、個々の振動板セグメント１２，１２’の各内面側が個々の振動板連結部材４２により支持されるので、多面状振動板組立体１１Ａ’中の各振動板セグメント１２，１２’の自重による変形が生じないので良好な音響特性が得られる。
【０１８７】
尚、振動板セグメント１２の内面側を振動板連結部材４２により支持する技術的思想は、先に説明した実施例４，５における１１個の振動板セグメント１２を接続した振動板１１を略球殻状に形成した多面状振動板組立体１１Ａ（図２１）にも適用することが可能である。
【図面の簡単な説明】
【０１８８】
【図１】本発明に係る実施例１の電気音響変換器の外観形状を正面側から見た斜視図である。
【図２】本発明に係る実施例１の電気音響変換器の外観形状を底面側から見た斜視図である。
【図３】本発明に係る実施例１の電気音響変換器の概略構成を摸式的に示した斜視図である。
【図４】本発明に係る実施例１の電気音響変換器において、１１個の正五角形の振動板セグメントを接続した振動板を平面的に展開して示した平面図である。
【図５】図４に示した正五角形の振動板セグメントを拡大して示した斜視図である。
【図６】本発明に係る実施例１の電気音響変換器において、隣り合うスピーカ駆動ユニットを組み立てた状態を拡大して示した縦断面図である。
【図７】（ａ）は図６に示したスピーカハウジングを拡大して示した斜視図であり、（ｂ）は複数のスピーカハウジングと底面用の一つの五角形板とを組み立てた多面状スピーカハウジング組立体を示した斜視図である。
【図８】本発明に係る実施例１の電気音響変換器において、隣り合うスピーカ駆動ユニットを組み立てる状態を示した斜視図である。
【図９】本発明に係る実施例１の電気音響変換器において、振動板セグメントの傾斜面部及び大径円が偏心していない場合に、振動板セグメント表面の定在波分布を説明するための図である。
【図１０】本発明に係る実施例１の電気音響変換器において、振動板セグメントの傾斜面部及び大径円が偏心している場合に、振動板セグメント表面の定在波分布を説明するための図である。
【図１１】本発明に係る実施例１の電気音響変換器において、振動板セグメントによる再生音の周波数特性を示した図である。
【図１２】本発明に係る実施例１の電気音響変換器における合成再生音の周波数特性を示した図である。
【図１３】本発明に係る実施例１の電気音響変換器の指向特性を示した図である。
【図１４】本発明に係る実施例１の電気音響変換器の応用例１を示した斜視図である。
【図１５】本発明に係る実施例１の電気音響変換器の応用例２を示した斜視図である。
【図１６】本発明に係る実施例２の電気音響変換器を説明するために模式的に示した斜視図である。
【図１７】本発明に係る実施例３の電気音響変換器の外観形状を底面側から見た斜視図である。
【図１８】本発明に係る実施例３の電気音響変換器において、１２個の正五角形の振動板セグメントを接続した振動板を平面的に展開して示した平面図である。
【図１９】本発明に係る実施例３の電気音響変換器を説明するために、底面側を主体にして一部破断して模式的に示した斜視図である。
【図２０】（ａ）〜（ｃ）は本発明に係る実施例３の電気音響変換器において、振動板の内面側の各辺の接合部位と、スピーカハウジングとを連結するために、必要に応じて取り付けた振動板連結部材を説明するために示した斜視図である。
【図２１】本発明に係る実施例４の電気音響変換器の概略構成を摸式的に示した斜視図である。
【図２２】本発明に係る実施例４の電気音響変換器において、隣り合うスピーカ駆動ユニットを組み立てた状態を拡大して示した縦断面図である。
【図２３】本発明に係る実施例４の電気音響変換器において、（ａ）は多面状取付台組立体中の五角錐を拡大して示した斜視図であり、（ｂ）は多面状取付台組立体中の五角錐台を拡大して示した斜視図である。
【図２４】複数の五角錐を組み立てた多面状取付台組立体を示した斜視図である。
【図２５】本発明に係る実施例５の電気音響変換器を説明するために模式的に示した斜視図である。
【図２６】本発明に係る実施例６の電気音響変換器を説明するために、底面側を主体にして一部破断して模式的に示した斜視図である。
【図２７】（ａ）〜（ｃ）は本発明に係る実施例６の電気音響変換器において、振動板の内面側の各辺の接合部位と、五角錐とを連結するために、必要に応じて取り付けた振動板連結部材を説明するために示した斜視図である。
【図２８】従来の点音源・無指向性・スピーカシステムの一例を示した斜視図である。
【図２９】従来の点音源・無指向性・スピーカシステムの一例を示したブロック図である。
【図３０】従来の点音源・無指向性・スピーカシステムに使用したスピーカユニットにおける周波数レスポンスのピークとディップの例を摸式的に示した特性図である。
【符号の説明】
【０１８９】
１０Ａ…実施例１の電気音響変換器、
１０Ｂ…実施例２の電気音響変換器、
１０Ｃ…実施例３の電気音響変換器、
１０Ｄ…実施例４の電気音響変換器、
１０Ｅ…実施例５の電気音響変換器、
１０Ｆ…実施例６の電気音響変換器、
１１…実施例１，２，４，５中の振動板（１１面）、
１１’…実施例３，６中の振動板（１２面）、
１１Ａ…実施例１，２，４，５中の多面状振動板組立体、
１１Ａ’…実施例３，６中の多面状振動板組立体、
１２…振動板セグメント、１２ａ…凹球面部、１２ａ１…パイプ挿入孔、
１２ｂ…凸状リング部、１２ｃ…傾斜面部、１２ｄ…大径円、１２ｅ…平坦面部、
１２ｆ…エッジ部、
１３…台座、１３ａ…貫通孔、１４…エッジ部材、
１５…配線用兼支持用のパイプ部材、
２０Ａ…実施例１のスピーカ駆動ユニット、
２０Ｂ…実施例２の振動板付きスピーカ駆動ユニット、
２０Ｃ…実施例３中の一つのスピーカ駆動ユニット、
２０Ｄ…実施例４のスピーカ駆動ユニット、
２０Ｅ…実施例５の振動板付きスピーカ駆動ユニット、
２０Ｆ…実施例６中の一つのスピーカ駆動ユニット、
２１…ヨーク、２１ａ…円形凹部、２１ｂ…リング状外壁部、２１ｃ…底面、
２２…マグネット、２３…ポールピース、
２４…ボビン、２４ａ…一端部、２４ｂ…他端部、
２５…ボイスコイル、
２６…実施例１〜３中の多面状スピーカハウジング組立体、
２７…実施例１〜３中のスピーカハウジング、
２７ａ…外周側面、２７ａ…ピン部、２７ａ２…ピン嵌合孔、２７ｂ…上面、
２７ｃ…下方円形凹部、２７ｄ…貫通孔、２７ｅ…上方円形凹部、
２７ｆ…空気流通用円弧状切り欠き部、
２８…支持板（五角形板）、
２９…第１のサスペンション、３０…スペーサ、３１…第２のサスペンション、
４１…実施例３，６中の管状緩衝部材、
４２…実施例３中の振動板連結部材、
５１…実施例４，５中の多面状取付台組立体、
５１’…実施例６中の多面状取付台組立体、
５２…実施例４，５中のスピーカ取付台（五角錐）、
５２Ａ…実施例４，５中のスピーカ取付台（五角錐台）、
５２’…実施例６中の一つのスピーカ取付台（五角錐）、
５２ａ…多角形面（五角形面）、５２ｂ…外周側面、
５２ｂ１…ピン部、５２ｂ２…ピン嵌合孔、
５３…実施例４〜６中のスピーカハウジング、
５３ａ…外周側面、５３ｂ…上面、５３ｃ…下方円形凹部、
５３ｄ…貫通孔、５３ｅ…上方円形凹部、
５４…実施例６中の振動板連結部材、
Ｄ…ディップ、Ｐ…一つの再生音のピーク、ＰＧ…合成再生音のピーク、
Ｏ…振動板の中心軸、ＯＨ…振動板の偏心軸。
【図１】
2006333441.tif 000003
【図２】
2006333441.tif 000004
【図３】
2006333441.tif 000005
【図４】
2006333441.tif 000006
【図５】
2006333441.tif 000007
【図６】
2006333441.tif 000008
【図７】
2006333441.tif 000009
【図８】
2006333441.tif 000010
【図９】
2006333441.tif 000011
【図１０】
2006333441.tif 000012
【図１１】
2006333441.tif 000013
【図１２】
2006333441.tif 000014
【図１３】
2006333441.tif 000015
【図１４】
2006333441.tif 000016
【図１５】
2006333441.tif 000017
【図１６】
2006333441.tif 000018
【図１７】
2006333441.tif 000019
【図１８】
2006333441.tif 000020
【図１９】
2006333441.tif 000021
【図２０】
2006333441.tif 000022
【図２１】
2006333441.tif 000023
【図２２】
2006333441.tif 000024
【図２３】
2006333441.tif 000025
【図２４】
2006333441.tif 000026
【図２５】
2006333441.tif 000027
【図２６】
2006333441.tif 000028
【図２７】
2006333441.tif 000029
【図２８】
2006333441.tif 000030
【図２９】
2006333441.tif 000031
【図３０】
2006333441.tif 000032